(57)【要約】【課題】窓枠などの締結効果に優れた板材嵌合構造を提供する。【解決手段】板材嵌合構造は、左右対向柱１、１‘、上下嵌合組み合わせ枠２，２’、T字締結構造体４、中フレーム３、三角形挟持構造体、四角形挟持構造体からなり、中フレーム、前記左右対向柱のリム付きU字溝内に、T字締結構造体のT字ヘッドを係合させ、他端を前記上下嵌合組み合わせ枠、中フレームの中心孔に挿入して、外からT字締結構造体の円錐状の締結孔に尖端のとがったネジをねじ込み、その尖端が締結孔の斜面に沿ってスライドすることにより、左右対向柱をスライドさせて引き寄せ、強固に締結する。また、前記三角、或いは前記四角形締結構造体は、その挟み板の間に挟板を挿入して挟板を挟持して密封する。【選択図】  図  １
0003114721.tif 000002
【実用新案登録請求の範囲】
【請求項１】
板材嵌合構造であって、左右対向柱、上下嵌合組み合わせ枠、中フレーム、T型締結片、尖頭止腹ネジ、三角形挟持構造体、四角形挟持構造体からなり、
前記左右対向柱、前記上下嵌合組み合わせ枠、前記中フレームはそれぞれ組み合わされて左右、上下及び中間となる枠体を構成し、それらの相対向する側に凹溝を設けてなり、
端部を該凹溝に嵌合した三角形挟持構造体、四角形挟持構造体の一対の挟持構造により、任意の厚さの挟板を挟持した構造からなることを特徴とする板材嵌合構造。
【請求項２】
前記三角形挟持構造体は、相互に嵌合するV型挟板と係合受側挟板により構成されることを特徴とする請求項１に記載の板材嵌合構造。
【請求項３】
前記四角形挟持構造体は、相互に嵌合するコの字型挟板とコの字型係合受側挟板により構成されることを特徴とする請求項１に記載の板材嵌合構造。
【考案の詳細な説明】
【技術分野】
【０００１】
本考案は、密封性の要求される建築物の壁面などにおける板材嵌合構造に関するものであって、対向柱、上U型嵌合組み合わせ枠、下U型嵌合組み合わせ枠、及び中フレームからなり、それらの対向する側に設けられたU字凹溝により、三角形の挟持結構造体、及び四角形の挟持結構造体を嵌合して挟板を挟持する組み合わせ構造を採用して、効果的に締結し、密封性を有する嵌合構造に関するものである。
【背景技術】
【０００２】
一般の窓枠は、上フレーム、下フレーム、左右フレーム、中フレームからなり、その締結方式はネジ締めで、フレーム間の締結の緊密性は低い。また、係合により壁面を構成する挟板を挟持する構造体があるが、構造体で直接挟板を挟持するのは、不安定で、締結時の人的要素も影響するので、公知の窓枠、或いは、改良型の窓枠構造は、以上のような構造では、緊密性を確保できない。
【特許文献１】特許第３４７９６５０号公報
【考案の開示】
【考案が解決しようとする課題】
【０００３】
本考案は、上述の問題を改善する板材嵌合構造を提供することを目的とする。
【課題を解決するための手段】
【０００４】
本考案の板材嵌合構造は、一対の対向柱、上嵌合組み合わせ枠、下嵌合組み合わせ枠、締結構造体、中フレーム、三角形挟持構造体、四角形挟持構造体からなる。中フレームと左右対向柱の組み合わせは、締結構造体により結合し、上下嵌合組み合わせ枠と左右対向柱の組み合わせは、締結構造体により組み立て、中フレーム上の上下U字凹溝は、三角形挟持構造体、四角形挟持構造体を有し、異なる厚さの挟板を挟持する。U字凹溝は、三角形挟持構造体と四角形挟持構造体を、挟板を挿入、挟持する。
【考案の効果】
【０００５】
左右対向柱のU字凹溝は、三角形挟持構造体と四角形挟持構造体により、挟板を挟持することを特徴とし、窓枠体の締結構造を変更して、効果的に挟板が挟持される挟持構造体とし、組み合わせが便利で、緊密性が高く、実用性を備える。
【考案を実施するための最良の形態】
【０００６】
本考案の板材嵌合構造は、図１〜図１３で示されるように、左側対向柱１、右側対向柱１'、上嵌合組み合わせ枠２'、下嵌合組み合わせ枠２、T型締結片４、尖頭止腹ネジ５、中フレーム３、三角形挟持構造体６、四角形挟持構造体７からなる。
上嵌合組み合わせ枠２'、下嵌合組み合わせ枠２は、それぞれ係合受側板２１、２'１と嵌合板２２、２'２により構成されると共に、係合受側板と嵌合板をそれぞれ嵌合して一体とする。
上嵌合組み合わせ枠２'の係合受側板２'１は、U字凹溝２'３を有し、また、下嵌合組み合わせ枠２は、図１０、図１１に示すように、係合受側板２１の上向きにU字凹溝２４を有すると共に下方に中心孔２４'を設け、その両側は、強化板２１１、及び弧型強化端面２１２を有する。嵌合板２２の底座両側上方の適切な箇所に、フック２２１を有し、係合受側板２１、２'１を係合する。
【０００７】
図１２で示されるように、三角形挟持構造体６は、V型挟板６１と係合受側挟板６２とから構成され、V型挟板６１は、嵌入ヘッド６１１、及び斜端板６１２からなり、係合受側挟板６２は、一対の固定端６２１、６２１'を設けている。
左側の固定端６２１側には、U型係合受側槽６２２を有し、他端側には固定端６２１'と、V型端面６２３を設けている。V型挟板６１が方向Sに押され、係合受側挟板６２が方向S'に押される時、嵌入ヘッド６１１は、U型係合受側槽６２２内に嵌入し、V型端面６２３と斜端板６１２は、挟板８を挟持し、固定端６２１、６２１'は、同時に、下嵌合組み合わせ枠２の中心孔２４'に挿入して固定される。
そして、中フレーム３についても同様の組み合わせ構造により、三角形挟持構造体又は四角形挟持構造体の固定端が中フレームのU字凹溝３２、３３に挿入され、挟板８がこれらに挟持されて、固定される。
また、図９に示されるように、左側対向柱１の三角形挟持構造体６中の固定端が、左側対向柱のU字凹溝１１内に挿入され、V型挟板６１と係合受側挟板６２が相対して挟板８を挟持する挟持構造を構成し、この挟持構造は、右側対向柱１'においても同様である。
【０００８】
図１０、及び図１３に示されるように、四角形挟持構造体７は、コの字型挟板７１とコの字型係合受側挟板７２からなり、コの字型挟板７１は、嵌入ヘッド７１１、及びコの字型端板７１２からなり、コの字型係合受側挟板７２は、一対の固定端７２１、７２１'を有し、その左側連結固定端７２１側には、U型係合受側槽７２２を設け、固定端７２１'側にはコの字型端７２３を設ける。コの字型挟板７１が方向Pに押され、コの字型係合受側挟板７２が方向P'に押される時、嵌入ヘッド７１１は、U型係合受側槽７２２内に嵌入され、コの字型端面７２３とコの字型端板７１２は、挟板８を挟持し、固定端７２１、７２１'は、同時に、下嵌合組み合わせ枠２の中心孔２４に挿入され、同様にして挟み板の他端はは中フレームのU字凹溝３２、３３に挿入された四角形挟持構造体により挟持される。また、図８に示されるように、左側対向柱１の四角形挟持構造体７の固定端がU字凹溝１１内に挿入され、その係合受側挟板７２とコの字型挟板７１により挟板８が挟持される。
右側対向柱１'における挟板の挟持構造の同様である。
【０００９】
図１〜図７で示されるように、左側対向柱１と右側対向柱１'の構造は同じであって、全体は断面I字型で、その両側には、U字凹溝１１、１１'を有して、T型締結片４を挿入する。
中フレーム３の構造は、両側が分段斜面強化板３１、３１'からなり、U字凹溝３２、３３、及び中心孔３４を有する。また、図４、及び、図６で示されるように、締結構造体により、左側対向柱１と右側対向柱１'と中フレーム３を結合させ、T型締結片４は、左側対向柱１と右側対向柱１'のU字凹溝１１、及び中フレーム３の中心孔３４に係入する。尖頭止腹ネジ５が中フレームの外側からT型締結片４の円錐状の締結孔４１にねじ込まれる時、その尖端が締結穴の斜面に沿ってスライドするためT型締結片４は、そのT型ヘッドが対向柱のU字凹溝１１に係合しているため、対向柱を中央に向かってスライドさせ、中フレーム３と左側対向柱１、或いは右側対向柱１'が強固に締結される。
また、図３、図５、及び、図７で示されるように、同様の締結構造により、左側対向柱１と右側対向柱１'と上嵌合組み合わせ枠２'を結合させ、T型締結片４は、左側対向柱１と右側対向柱１'のU字凹溝１１、及び、上嵌合組み合わせ枠２'、下嵌合組み合わせ枠２の中心孔２４'に係入する。尖頭止腹ネジ５が締結孔４１に旋入する時、上記と同様にしてネジの尖端が挿入するT型締結片４の締結穴は、ネジがその斜面に沿ってスライドすることにより、左側対向柱１と右側対向柱１'とを中央に向かってスライドさせて引き寄せ、上嵌合組み合わせ枠２'、下嵌合組み合わせ枠２と左側対向柱１、或いは、右側対向柱１' の結合が強固になる。
【図面の簡単な説明】
【００１０】
【図１】本考案の立体分解図である。
【図２】本考案の中フレームの締結結合を示す図である。
【図３】本考案の上嵌合組み合わせ枠と下嵌合組み合わせ枠の締結を示す図である。
【図４】本考案の中フレームの締結構造を示す図である。
【図５】本考案の上嵌合組み合わせ枠と下嵌合組み合わせ枠の締結を示す図である。
【図６】本考案の中フレームの締結構造を示すもう一つの図である。
【図７】本考案の上嵌合組み合わせ枠と下嵌合組み合わせ枠の締結を示すもう一つの図である。
【図８】本考案の左側対向柱と四角形挟持構造の断面図である。
【図９】本考案の左側対向柱と三角形挟持構造の断面図である。
【図１０】本考案の組み合わせ隔間の窓枠構造の一部断面図である。
【図１１】本考案の組み合わせ隔間の窓枠構造のもう一つの一部断面図である。
【図１２】本考案の三角形挟持構造の断面図である。
【図１３】本考案の四角形挟持構造の断面図である。
【符号の説明】
【００１１】
１'… 右側対向柱
１…左側対向柱
１１、１１'…U字凹溝
２…下嵌合組み合わせ枠
２'…上嵌合組み合わせ枠
２１…係合受側板
２１１…強化板
２１２…弧型強化端面
２２…嵌合板
２２１…フック
２４、２４'…U字凹溝
３…中フレーム
３１、３１'…分段強化板
３２、３３…U字凹溝
３４…中心孔
４…T型締結片
４１…締結孔
５…尖頭止腹ネジ
６…三角形挟持構造体
７…四角形挟持構造体
７１…コの字型挟板
７２…コの字型係合受側挟板
７１１…嵌入ヘッド
７１２…コの字型端板
７２１、７２１'…固定端
７２２…U型係合受側槽
７２３…コの字型端面
８…挟板
【図１】
0003114721.tif 000003
【図２】
0003114721.tif 000004
【図３】
0003114721.tif 000005
【図４】
0003114721.tif 000006
【図５】
0003114721.tif 000007
【図６】
0003114721.tif 000008
【図７】
0003114721.tif 000009
【図８】
0003114721.tif 000010
【図９】
0003114721.tif 000011
【図１０】
0003114721.tif 000012
【図１１】
0003114721.tif 000013
【図１２】
0003114721.tif 000014
【図１３】
0003114721.tif 000015